(57)【要約】      （修正有）【課題】縦開き、横開きのいずれでも開閉でき、特に縦開き時の鞄本体内に収納した収納物の飛び出しを阻止し、収納物の出し入れを容易にする鞄を提供する。【解決手段】蓋体２によって開閉する鞄本体１の底部に付設した移動車輪４によって移動可能で、上方に引き出し可能な伸縮式の取っ手３を鞄本体１に設ける。鞄本体１には、移動車輪４によって移動可能にして鞄本体１を立てた態様のとき、底部位置に設けた底部ヒンジ部１１を支点として蓋体２自体を開閉させる縦開きスライドファスナー部１０と、鞄本体１の左右側縁のいずれか一方に設けた側部ヒンジ部を支点として蓋体２を鞄本体１から開閉させる横開きスライドファスナー部１５と、鞄本体１内部を蓋体２側内部と区画し、鞄本体１内部を開閉自在にして、鞄本体１の開口縁部に設けた本体側中仕切り板とを設ける。また、蓋体２、本体側中仕切り板には収納ポケット２０を付設する。【選択図】図１
0003168972.tif 000002
【実用新案登録請求の範囲】
【請求項１】
蓋体によって開閉される鞄本体の底部に付設された移動車輪によって移動可能で、上方に引き出し可能な伸縮式の取っ手を鞄本体に備えている鞄において、鞄本体には、移動車輪によって移動可能にして鞄本体を立てた態様のとき、底部位置に設けた底部ヒンジ部を支点として蓋体自体を開閉させる縦開きスライドファスナー部と、鞄本体の左右側縁のいずれか一方に設けた側部ヒンジ部を支点として蓋体を鞄本体から開閉させる横開きスライドファスナー部と、鞄本体内部を蓋体側内部と区画し、鞄本体内部を開閉自在にして、鞄本体の開口縁部に設けた本体側中仕切り板とを備えて成ることを特徴とする鞄。
【請求項２】
蓋体は、鞄本体の開口縁部を全周にわたって囲繞して同一幅員で筒状に形成されていて、鞄本体側の開口縁で横開きスライドファスナー部によって開閉自在に鞄本体に連結されている蓋枠体と、この蓋枠体の反対側の開口縁で縦開きスライドファスナー部によって開閉自在に蓋枠体に連結されている蓋板とから成る請求項１に記載の鞄。
【請求項３】
蓋枠体は、この蓋枠体の前後の開口縁で、鞄本体を立てたときの鉛直方向に沿って相互にほぼ平行状にした縦開きスライドファスナー部と横開きスライドファスナー部とを配列してある請求項２に記載の鞄。
【請求項４】
蓋板は、鞄本体を立てたときの鞄本体の底部位置に比し高い位置に設定された底部ヒンジ部を支点として開閉されるようにしてある請求項２または３に記載の鞄。
【請求項５】
本体側中仕切り板は、鞄本体における開口部縁に配置されていて、この開口部縁に沿って配設した仕切りスライドファスナー部によって、鞄本体の底部側に設けた仕切り折曲部を支点として揺動自在に開閉されるようにしてある請求項１乃至４のいずれかに記載の鞄。
【請求項６】
蓋枠体には、蓋板内部と区画し、蓋枠体内部あるいは蓋板内部を開閉自在にする補助中仕切り板を着脱自在な吊り具を介して設けてある請求項２乃至５のいずれかに記載の鞄。
【請求項７】
鞄本体を立てた態様のとき、蓋板の鞄本体に対する開放角度をほぼ９０度以内に規制する規制ベルトを設けてある請求項２乃至６のいずれかに記載の鞄。
【請求項８】
蓋板、本体側中仕切り板、補助中仕切り板の少なくとも一つには収納ポケットを付設してある請求項２乃至７のいずれかに記載の鞄。
【考案の詳細な説明】
【技術分野】
【０００１】
この考案は、例えば底部に付設した移動車輪によって床面等を移動可能なスーツケース・ソフトキャリー・トランク等において、立てた状態、寝かせた状態のいずれの態様時であってもいわゆる縦開き、横開きを可能にして収納物の出し入れを簡単に行うことができるようにした鞄に関する。
【背景技術】
【０００２】
近時、旅行その他での携帯品が多くなるのに対応して、いわゆるキャリーバッグと称される移動車輪を底部に付設したスーツケース、ソフトキャリー、トランク等の移動式鞄が頻繁に使用されている。このような移動式鞄は、鞄本体の裏面に伸縮自在に設けた取っ手によって、底部に付設した移動車輪を床面等で転動させることで引き回し可能となるようにしてある。また、鞄自体は、各種収納物を収納するボックス状の鞄本体の開口部を閉塞する蓋体を鞄本体に開閉自在に設けると共に、取っ手を収納できる収納部を鞄本体裏面に設けて成り、その蓋体は、移動車輪を底部位置にして鞄本体を立てたときの底部側の開口部縁に形成したヒンジ部を支点としてスライドファスナーの操作によって開閉できるようにしているのが一般的構造である。
【０００３】
ただ、このような鞄において、収納物を出し入れするときに鞄本体を立てたままで蓋体を開閉すると、底部側に収納した収納物の出し入れは困難であり、また鞄本体内に収納した収納物が飛び出してしまうことがあるから、鞄自体を寝かせた状態にして蓋体を全開することで出し入れすることになる。そればかりでなく、蓋体を全開する場合、この種の移動式鞄の多くは縦長状に構成されているから、鞄本体の底部をヒンジ部とする蓋体の開閉は、蓋体自体が同様に縦長状になっているから操作・取扱いが面倒でもある。
【０００４】
これを解消すべく、いわゆる縦開き、横開きを可能とさせるよう、鞄本体の底部、側部それぞれにヒンジ部を形成して、蓋体が底部を支点としてあるいは側部を支点としていずれの方向にも開閉できるようにしたスーツケースが特許文献１として提案されている。すなわち、この特許文献１に係るスーツケースは、箱体における底辺側に第１ヒンジ部を設けて第１ファスナーラインによって、右辺側もしくは左辺側に第２ヒンジ部を設けて第２ファスナーラインによってそれぞれ開閉できる蓋体を箱体に連結すると共に、第１ファスナーラインは底面部側に行くほど手前側になるように傾斜したラインとして形成されることで構成して成る。
【先行技術文献】
【特許文献】
【０００５】
【特許文献１】登録実用新案第３１６３１３７号公報
【考案の概要】
【考案が解決しようとする課題】
【０００６】
この特許文献１に係るスーツケースでは、第１ファスナーラインにおける傾斜ライン部分によって必要な小物の出し入れが容易となり、わざわざ寝かせる必要はないとし、また蓋体を第１ヒンジ部回りに回転しやすくできるとする。また、このスーツケースでは、箱体の開口部分である第１スライドファスナーと第２スライドファスナーとの間の内部空間は、連結機構を備えた吊りベルトによって着脱される小物収容部によって区画し、開閉されるようにしてある。そうすると、立てた状態で蓋体を開閉するとき、例えば箱体内に収納した収納物が多い場合には小物収容部によっても確実に区分けし、分離することは困難であるから、吊りベルトが外れる等によって小物収容部が不意に脱落する等で収納物が飛び出してしまうこともある。
【０００７】
そればかりでなく、スーツケースを寝かせた状態で第１スライドファスナーによって蓋体を開閉するとき、傾斜したファスナーラインが蓋体の全開には邪魔になり、その開閉作業を面倒なものとしている。
【０００８】
そこでこの考案は上述したような従来存した諸事情に鑑み案出されたもので、その目的は縦開き、横開きのいずれにも対応して開閉できるばかりでなく、特に縦開き時の鞄本体内に収納した収納物の飛び出しを阻止しながらも、鞄本体内の収納物、それが小物類であってもその出し入れを容易にし、立てたとき、寝かせたときのいずれでも開閉操作が容易となる鞄を提供することにある。
【課題を解決するための手段】
【０００９】
上述した課題を解決するため、この考案にあっては、蓋体２によって開閉される鞄本体１の底部に付設された移動車輪４によって移動可能で、上方に引き出し可能な伸縮式の取っ手３を鞄本体１に備えている鞄において、鞄本体１には、移動車輪４によって移動可能にして鞄本体１を立てた態様のとき、底部位置に設けた底部ヒンジ部１１を支点として蓋体２自体を開閉させる縦開きスライドファスナー部１０と、鞄本体１の左右側縁のいずれか一方に設けた側部ヒンジ部１６を支点として蓋体２を鞄本体１から開閉させる横開きスライドファスナー部１５と、鞄本体１内部を蓋体２側内部と区画し、鞄本体１内部を開閉自在にして、鞄本体１の開口縁部に設けた本体側中仕切り板６とを備えて成ることを特徴とする。
蓋体２は、鞄本体１の開口縁部を全周にわたって囲繞して同一幅員で筒状に形成されていて、鞄本体１側の開口縁で横開きスライドファスナー部１５によって開閉自在に鞄本体１に連結されている蓋枠体２Ａと、この蓋枠体２Ａの反対側の開口縁で縦開きスライドファスナー部１０によって開閉自在に蓋枠体２Ａに連結されている蓋板２Ｂとから構成することができる。
蓋枠体２Ａは、この蓋枠体２Ａの前後の開口縁で、鞄本体１を立てたときの鉛直方向に沿って相互にほぼ平行状にした縦開きスライドファスナー部１０と横開きスライドファスナー部１５とを配列して構成することができる。
蓋板２Ｂは、鞄本体１を立てたときの鞄本体１の底部位置に比し高い位置に設定された底部ヒンジ部１１を支点として開閉されるようにして構成することができる。
本体側中仕切り板６は、鞄本体１における開口部縁に配置されていて、この開口部縁に沿って配設した仕切りスライドファスナー部７によって、鞄本体１の底部側に設けた仕切り折曲部８を支点として揺動自在に開閉されるように構成することができる。
蓋枠体２Ａには、蓋板２Ｂ内部と区画し、蓋枠体２Ａ内部あるいは蓋板２Ｂ内部を開閉自在にする補助中仕切り板１７を着脱自在な吊り具１８を介して設けて構成することができる。
鞄本体１を立てた態様のとき、蓋板２Ｂの鞄本体１、蓋枠体２Ａに対する開放角度をほぼ９０度以内に規制する規制ベルト９を設けて構成することができる。
蓋板２Ｂ、本体側中仕切り板６、補助中仕切り板１７の少なくとも一つには収納ポケット２０を付設することができる。
【００１０】
以上のように構成されたこの考案に係る鞄にあって、移動車輪４によって移動可能な鞄本体１を立てた態様のときには縦開きスライドファスナー部１０の開閉によって、また寝かせた態様のときには横開きスライドファスナー部１５の開閉によって、揺動開閉される蓋体２によって鞄本体１を開閉可能にさせる。また、縦開きスライドファスナー部１０によって開閉するときには、蓋体２内側の収納物のみならず、底部を支点として仕切りスライドファスナー部７によって揺動開閉する本体側中仕切り板６の開閉と共に鞄本体１内部の収納物を出し入れさせる。
鞄本体１を立てたときの底部位置に比し高い位置に設定された蓋板２Ｂの底部ヒンジ部１１は、鞄本体１を立てた態様で蓋体２自体を縦開きスライドファスナー部１０によって開閉するときの開閉動作を円滑にし、鞄本体１、蓋体２内外での収納物の出し入れを容易にさせる。
鞄本体１の開口部縁の全周を囲繞するように設けた筒状の蓋枠体２Ａは、蓋体２側内部の収納容量を増大させ、蓋枠体２Ａ自体が同一幅員で筒状に形成されていることで、平行状に配列された縦開きスライドファスナー部１０、横開きスライドファスナー部１５それぞれのスライド開閉操作、それに伴う収納物の出し入れを円滑にさせる。
蓋枠体２Ａに設けた開閉自在な補助中仕切り板１７は、縦開きスライドファスナー部１０を開放した後の吊り具１８の着脱によって蓋枠体２Ａ内、更には本体側中仕切り板６の開放と共に鞄本体１内の収納物を出し入れさせ、蓋枠体２Ａと蓋板２Ｂとを区画しているときの横開きスライドファスナー部１５の開放は、蓋板２Ｂ内の収納物を保持し、補助中仕切り板１７の着脱で蓋板２Ｂ内の収納物を出し入れさせる。
規制ベルト９は、立てた態様のときの鞄本体１を縦開きスライドファスナー部１０によって開放した場合の蓋板２Ｂの過度の開放を規制し、また収納ポケット２０は蓋枠体２Ａ、蓋体２側内部において各種小物類を区分けさせて収納させる。
【考案の効果】
【００１１】
この考案は以上説明したように構成されているため、移動可能な鞄本体１の蓋体２自体を、鞄本体１を立てた態様のときには縦開きスライドファスナー部１０によって、また寝かせた態様のときには横開きスライドファスナー部１５によって鞄本体１から開閉でき、特に立てた態様のときに開閉するとき、その本体側中仕切り板６の開閉と共に鞄本体１内部の収納物等を円滑に出し入れできる。
【００１２】
すなわちこれはこの考案において、移動車輪４を底部にして鞄本体１を立てたとき、底部ヒンジ部１１を支点として蓋体２自体を開閉する縦開きスライドファスナー部１０、側部ヒンジ部１６を支点として蓋体２を鞄本体１から開閉する横開きスライドファスナー部１５、蓋体２側内部と区画して鞄本体１内を開閉される本体側中仕切り板６を備えて成るからであり、鞄本体１を立てたとき、寝かせたときのいずれでも鞄本体１を円滑に開閉でき、鞄本体１内部の収納物等の出し入れを円滑、容易にしている。
【００１３】
また、蓋体２は、鞄本体１の開口縁部を全周にわたって囲繞して、鞄本体１に連結されている筒状の蓋枠体２Ａと、この蓋枠体２Ａの反対側の開口縁に設けて蓋枠体２Ａに連結されている蓋板２Ｂとから構成してあることで、蓋体２自体の収納容量を増大できる。そして、蓋枠体２Ａの鞄本体１側には横開きスライドファスナー部１５が、鞄本体１と反対側には縦開きスライドファスナー部１０がそれぞれ平行状に配列されているから、これらによるスライド開閉操作は立てたとき、寝かせたときのいずれであっても円滑にすることができる。
【００１４】
蓋板２Ｂの底部ヒンジ部１１は、鞄本体１を立てたときの鞄本体１の底部位置に比し高い位置にあるから、縦開きファスナー部１０によって蓋板２Ｂを開閉するとき、蓋板２Ｂの開閉起伏動作を無理なく円滑に行なうことができ、鞄本体１を立てたとき、寝かせたときのいずれでも円滑に開閉できる。
【００１５】
鞄本体１を立てたときに縦開きスライドファスナー部１０によって開閉するとき、蓋板２Ｂの鞄本体１に対する開放角度をほぼ９０度以内に規制する規制ベルト９を設けてあるから、蓋体２側内部に収納してある各種の収納物の飛び出し等を防止でき、また鞄本体１内の収納物は閉塞させた本体側中仕切り板６によって区分け収納されているから、これらが飛び出すこともない。しかも、この本体側中仕切り板６を仕切りスライドファスナー部７によって、底部に設けた仕切り折曲部８を支点として前後方向で揺動開放できるから、鞄本体１内部の収納物を簡単に出し入れすることもできる。
【００１６】
また、蓋枠体２Ａには、着脱自在な吊り具１８を介して開閉自在にした補助中仕切り板１７を設けることで、蓋枠体２Ａ内部と蓋板２Ｂ内部とを区画して各種の収納物を区分け収納できる。そればかりでなく、吊り具１８の着脱によって取外すことで、蓋板２Ｂ側を例えば蓋枠体２Ａ内部と合わせて大きい収納空間として使用することもでき、鞄本体１を立てた態様時で縦開きスライドファスナー部１０によって蓋板２Ｂを開放するとき、補助中仕切り板１７の取り外し、本体側中仕切り板６の開放で鞄本体１内の収納物を出し入れできる。
【００１７】
蓋板２Ｂ、本体側中仕切り板６、補助中仕切り板１７の少なくとも一つに付設した収納ポケット２０によって、例えば各種の小物類を区分け収納できるから、収納時に雑然となることはなく、小物類を整理した状態とすることができる。
【００１８】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１９】
【図１】この考案を実施するための一形態を示し、立てた態様で蓋体自体を開放したときの斜視図である。
【図２】同じく立てた態様で蓋体自体を開放した後に、補助中仕切り板を外し、本体側中仕切り板を開放したときの斜視図である。
【図３】同じく寝かせた態様で蓋体を開放したときの斜視図である。
【図４】同じく側面図である。
【図５】同じく縦断面図である。
【図６】同じく、その（ａ）、（ｂ）は縦開きファスナー部、横開きファスナー部両者を共にロックする異なるロック機構それぞれを示す平面図である。
【考案を実施するための形態】
【００２０】
以下、図面を参照してこの考案を実施するための一形態を説明すると、図において示される符号１は鞄本体であり、この鞄本体１は例えば所定の深さを有する直方体ボックス状に形成されており、その開口部は浅底状の直方体ボックス状に形成された蓋体２によって開閉自在に覆われている。鞄本体１、蓋体２それぞれは例えば硬性合成樹脂等によるハード構成素材、布・皮・軟性合成樹脂等によるソフト構成素材その他の所定の素材によって形成されることで収納物を十分に保護し得るようになっている。
【００２１】
この鞄本体１の裏面には、この裏面に形成された取っ手収納部に収納される伸縮自在な取っ手３が設けられており、開口部を側方に向けて立てられたときの底部には、この鞄本体１を移動させる移動用の移動車輪４が例えば４隅に配されており、移動車輪４の幾つかはロック可能なストッパー機構を備えたものとすることもできる。尚、移動車輪４は４輪式とする場合に限らず２輪式とすることもでき、２輪式とする場合は例えば鞄本体１の裏面側に移動車輪４を、蓋体２側に支持脚を突設配置するのであり（図示せず）、これらは任意に設定できる。
【００２２】
鞄本体１の開口部を覆う蓋体２は、この蓋体２自体が、鞄本体１が立てられたときの底部位置に形成した底部ヒンジ部１１を支点として開閉させる縦開きスライドファスナー部１０によって開閉され、また同様に鞄本体１が立てられたときの右側縁あるいは左側縁に形成した側部ヒンジ部１６を支点として開閉させる横開きスライドファスナー部１５によって鞄本体１から開閉可能なように形成されている。
【００２３】
蓋体２は図例のように、鞄本体１の開口縁部を全周にわたって囲繞して同一幅員で筒状に形成されていて、鞄本体１側の開口縁で横開きスライドファスナー部１５によって開閉自在に鞄本体１に連結されている蓋枠体２Ａと、この蓋枠体２Ａの反対側の開口縁で縦開きスライドファスナー部１０によって開閉自在に蓋枠体２Ａに連結されている蓋板２Ｂとから成っている。すなわち、鞄本体１の開口部縁に横開きスライドファスナー部１５を配し、この横開きスライドファスナー部１５位置とは若干の間隔を隔てて、すなわち所定幅員を有する帯状で、鞄本体１の開口部に沿って、鞄本体１の開口部を囲繞している蓋枠体２Ａを隔てて縦開きスライドファスナー部１０が配されている。もとより、場合によっては縦開きスライドファスナー部１０を鞄本体１側に、横開きスライドファスナー部１５を蓋体２側に配することもできる。
【００２４】
図示例にあっての蓋板２Ｂは、蓋枠体２Ａの開口部大きさに比しやや小さく形成してあり、蓋板２Ｂの底部ヒンジ部１１を、鞄本体１を立てたときの鞄本体１あるいは蓋枠体２Ａの底部位置に比し、鞄本体１を立てた床面その他の載置面に対して高くなる位置に設定してある（図４参照）。こうすることで、鞄本体１を立てたときの鞄本体１の上面と蓋体２の上面とが同一高さ面であっても、鞄本体１を立てた態様時で蓋板２Ｂを開閉するときの蓋板２Ｂ自体の開閉動作が円滑になるようにしている。尚、蓋板２Ｂは図示のように、浅底の皿状に形成されることなく、ある程度の深さを備えた直方体ボックス状に形成されることもある。
【００２５】
蓋枠体２Ａは、これの全周にわたってほぼ同一の幅員を有する筒状を呈するように、鞄本体１あるいは蓋板２Ｂと同効材によって形成されていて、縦開きスライドファスナー部１０及び横開きスライドファスナー部１５は、蓋枠体２Ａの鞄本体１側、蓋板２Ｂ側の前後の開口縁で、鞄本体１を立てたときの鉛直方向に沿って相互にほぼ平行状態にして配列されている。
【００２６】
そして、図例にあっての蓋体２において、その蓋枠体２Ａは、一方の開口縁側である蓋板２Ｂ側では縦開きスライドファスナー部１０によって蓋板２Ｂが開閉自在に連結されていて、この縦開きスライドファスナー部１０が閉塞されることで蓋枠体２Ａを介して蓋板２Ｂを鞄本体１に接合させ、あるいは縦開きスライドファスナー部１０が開放されて分離されることで、底部ヒンジ部１１を支点として鞄本体１、蓋枠体２Ａ側から蓋板２Ｂを揺動させて開放させるようになっている（図１、図２参照）。また、蓋枠体２Ａの他方の開口縁側である鞄本体１側では横開きスライドファスナー部１５によって鞄本体１に連結されていて、この横開きスライドファスナー部１５が閉塞されることで蓋枠体２Ａと共に鞄本体１に蓋板２Ｂを接合させ、あるいは横開きスライドファスナー部１５が開放されて分離されることで、側部ヒンジ部１６を支点として、蓋枠体２Ａと一体となる蓋板２Ｂを鞄本体１側から揺動させて開放させるようになっている（図３参照）。
【００２７】
尚、これらの縦開きスライドファスナー部１０、横開きスライドファスナー部１５は、いずれも対状のスライダーを備えており、このスライダーの一方が他方に対して近接するようスライド移動するときは閉塞させ、逆に互いに離反するようスライド移動するときは開放させるようになっており、近接した状態で相互間で、更には鞄本体１面に形成した後述するロック機構２５によって適宜に施錠可能にしてある。
【００２８】
また、鞄本体１、蓋体２それぞれの内部には、これらの内部を区画し、仕切る本体側中仕切り板６、補助中仕切り板１７が開閉自在にして配されている。本体側中仕切り板６は、鞄本体１における開口部、すなわち鞄本体１と蓋枠体２Ａとの境界部分である鞄本体１における開口部縁に配置されていて、この開口部縁に沿っている仕切りスライドファスナー部７によって、例えば鞄本体１の底部側に設けた仕切り折曲部８を支点として揺動自在に開閉されるようになっている。こうすることで、鞄本体１を立てた態様のときには、縦開きファスナー部１０の開放と共に仕切スライドファスナー部７を縦方向に開放することによって、鞄本体１内部の収納物を出し入れできるようにしている（図２参照）。
【００２９】
尚、この本体側中仕切り板６は、鞄本体１の底部側を支点位置とせずに、図示を省略したが、鞄本体１の側部位置例えば横開きスライドファスナー部１５の揺動支点部分である側部ヒンジ部１６側に配置形成し、鞄本体１を立てた態様のときで横方向に開閉できるようにしても良い。また、仕切り折曲部８は本体側中仕切り板６自体を揺動開閉させるときの揺動支点となればよいから、本体側中仕切り板６生地自体が折れ曲がるものであれば足り、場合によってはヒンジ構造とすることも可能である。
【００３０】
補助中仕切り板１７は、蓋板２Ｂ内部と区画し、蓋枠体２Ａ内部あるいは蓋板２Ｂ内部を開閉自在にするよう、着脱自在なベルト、フック等の吊り具１８を介して蓋枠体２Ａにおける蓋板２Ｂ側の開口部に配置されていて、この補助中仕切り板１７によって、蓋板２Ｂ内部と蓋枠体２Ａ内部とを区画できるようにしてある。吊り具１８は、補助中仕切り板１７の上部のみに設けて蓋枠体２Ａ開口縁に連繋させることで、補助中仕切り板１７が下部側を支点として揺動式に開閉されるようにしても良い。また、図示を省略したが、この補助中仕切り板１７を、これの上下部それぞれに吊り具１８を設けて蓋枠体２Ａの開口縁に着脱可能となるようにしても良い。
【００３１】
尚、この補助中仕切り板１７は、必要があれば蓋枠体２Ａの開口部に設けられるのであり、立てた態様時で縦開きスライドファスナー部１０によって蓋板２Ｂを開放したとき、蓋板２Ｂ内の収納物を出し入れでき、また吊り具１８の取り外しで補助中仕切り板１７を蓋板２Ｂ側に倒すと共に、本体側中仕切り板６の開放によって鞄本体１内部の収納物を出し入れできるようになっている。場合によっては、この補助中仕切り板１７を、その吊り具１８を蓋板２Ｂ開口部に着脱自在にすることで蓋板２Ｂの開口部に設けることもでき、この場合には鞄本体１を立てた態様時で縦開きスライドファスナー部１０にて開放するとき、本体側中仕切り板６のみの開放で鞄本体１内の収納物を出し入れできる。図示を省略したが、吊り具１８を蓋枠体２Ａ側の開口部あるいは蓋板２Ｂ側の開口部のいずれかに選択的に着脱自在となるようにすることも可能である（図示せず）。
【００３２】
そしてまた、蓋板２Ｂ例えばその表裏面、本体側中仕切り板６例えばその表裏面、補助中仕切り板１７例えばその表裏面の少なくとも一つに適宜な収納ポケット２０を付設することもできる。この収納ポケット２０は、その開口部を鞄本体１における上部側に向けておくことで、例えば縦開きスライドファスナー部１０を開放し、その上部分位置で開放することで収納ポケット２０に所定の収納物、例えばノートパソコンの如き電子機器等を出し入れできる。尚、この収納ポケット２０を鞄本体１あるいは蓋枠体２Ａ、蓋板２Ｂの開口部の形状、大きさに沿うものとして形成することで本体側中仕切り板６、補助中仕切り板１７を代用することも可能である。
【００３３】
また、縦開きスライドファスナー部１０、横開きスライドファスナー部１５を共に施錠してロックし、また解錠するロック機構２５が設けられている。図６（ａ）に示すロック機構２５は、鞄本体１を立てたときの例えば鞄本体１の上面部における蓋枠体２Ａ上に配置形成されており、縦開きスライドファスナー部１０、横開きスライドファスナー部１５それぞれにおける対状のスライダーを挿入させた状態で、これらの４個のスライダーを例えばスライドピンのスライダーへの挿入によって固定させると共に、ダイヤル錠の操作で解錠できる施錠手段を備えて成る。また、図６（ｂ）に示すロック機構２５は、縦開きスライドファスナー部１０、横開きスライドファスナー部１５それぞれの対状の、計４個のスライダーの孔部に挿通させるワイヤーを適宜に固定する施錠手段を備えて成る。尚、いずれのロック機構２５にあっても、例えばダイヤル回動、鍵の挿脱、電気信号の送受信その他の所定の施錠、解錠方式のいずれを選択したものであっても良いのは勿論である。
【００３４】
図中符号９は、蓋板２Ｂと蓋枠体２Ａとの間で、蓋板２Ｂ、蓋枠体２Ａ両者相互間を連繋させている規制ベルトであり、例えば鞄本体１を立てた状態で蓋板２Ｂを開放したとき、蓋板２Ｂの蓋枠体２Ａあるいは鞄本体１に対する開放角度がほぼ９０度以内に規制されるようにしている。尚、この規制ベルト９を伸縮調整自在にして開放角度を９０度以内に設定したり、着脱自在にして規制を解除できるようにしたりすることも可能である。
【００３５】
次にこれの使用の一例を説明すると、例えば衣類その他の所定の各種の収納物を鞄本体１内に、また適宜な小物類を収納ポケット２０内にそれぞれ収納するのであり、また本体側中仕切り板６、補助中仕切り板１７を閉塞することで鞄本体１内側、蓋枠体２Ａ内、蓋板２Ｂ内側それぞれを仕切った状態で収納物を区分けしてもよい。そして、縦開きスライドファスナー部１０、横開きスライドファスナー部１５それぞれを閉塞し、またロックした状態で持ち運ぶのであり、持ち運ぶに際し取っ手３を引き出し、移動車輪４によって床面等上で移動させる。
【００３６】
収納物の出し入れ時には、鞄本体１を立てた状態であると、そのままの態様でも縦開きスライドファスナー部１０によって蓋体２自体を開放して鞄本体１の上方から行えばよく、補助中仕切り板１７がある場合にはそれを開放することで、蓋枠体２Ａ内に収納した収納物を、また鞄本体１内の収納物は本体側中仕切り板６を開放して出し入れし、蓋板２Ｂ内の収納物はそのまま出し入れする。鞄本体１を寝かせた状態であると、横開きスライドファスナー部１５を開放することで、蓋体２を鞄本体１から開放し、蓋枠体２Ａ内に収納した収納物はそのままで、また鞄本体１内の収納物は本体側中仕切り板６を、蓋板２Ｂ内の収納物は補助中仕切り板１７を更にそれぞれ開放することで出し入れする。
【符号の説明】
【００３７】
１…鞄本体                              ２…蓋体
２Ａ…蓋枠体                            ２Ｂ…蓋板
３…取っ手                              ４…移動車輪
６…本体側中仕切り板                    ７…仕切りスライドファスナー部
８…仕切り折曲部                        ９…規制ベルト
１０…縦開きスライドファスナー部        １１…底部ヒンジ部
１５…横開きスライドファスナー部        １６…側部ヒンジ部
１７…補助中仕切り板                    １８…吊り具
２０…収納ポケット                      ２５…ロック機構
【図１】
0003168972.tif 000003
【図２】
0003168972.tif 000004
【図３】
0003168972.tif 000005
【図４】
0003168972.tif 000006
【図５】
0003168972.tif 000007
【図６】
0003168972.tif 000008